(57)【要約】【課題】記録紙に埋め込まれた電子タグに情報を書込む書込装置の汎用性向上と、電子タグへの書込み及び記録紙への画像形成の生産性向上とを両立させることを可能にする。【解決手段】画像信号を受信すると記録紙に画像を形成する画像形成装置と、記録紙に埋め込まれた電子タグに情報を書き込み、当該記録紙を画像形成装置へ搬送する書込装置と、書込装置に対して書込みを行わせる信号を送信し、かつ画像形成装置の構成に基づくタイミングで画像形成装置に画像信号を送信する制御装置と、を有する。【選択図】図２
2014078212.tif 000002
【特許請求の範囲】
【請求項１】
画像信号を受信すると記録紙に画像を形成する画像形成装置と、
記録紙に埋め込まれた電子タグに情報を書き込み、当該記録紙を前記画像形成装置へ搬送する書込装置と、
前記書込装置に対して書込みを行わせる信号を送信し、かつ前記画像形成装置の構成に基づくタイミングで前記画像形成装置に画像信号を送信する制御装置と、
を有することを特徴とする画像形成システム。
【請求項２】
前記画像形成装置と前記書込装置とは直接通信を行わないこと
を特徴とする請求項１に記載の画像形成システム。
【請求項３】
前記制御装置は、
前記書込装置が前記電子タグに情報を書込み終える前に、前記画像信号の送信を開始すること
を特徴とする請求項１又は２に記載の画像形成システム。
【請求項４】
画像信号に応じて記録紙に画像を形成する画像形成装置へ前記記録紙を搬送する搬送部と、
前記電子タグに情報を書込む書込部と、
前記画像形成装置に前記画像信号を送信する制御装置に対し、前記画像形成装置の構成に基づくタイミングで前記画像形成装置に前記画像信号の送信を開始させるよう制御する制御部と、
を有することを特徴とする書込装置。
【請求項５】
前記制御部は、
前記画像形成装置に前記画像信号を送信する制御装置に対し、前記書込部が前記電子タグに情報を書込み終える前に、前記画像信号の送信を開始させるよう制御すること
を特徴とする請求項４に記載の書込装置。
【請求項６】
前記制御部は、
前記書込部が前記電子タグに情報を正しく書込めたか否かを判定する判定部と、
前記電子タグに情報を正しく書込めなかったと前記判定部が判定した場合に、その旨を示す信号を前記制御装置に対して送信する送信部と、
を有することを特徴とする請求項４又は５に記載の書込装置。
【請求項７】
前記制御部は、
前記電子タグに書込む情報のデータサイズ、及び前記画像信号のデータサイズを前記制御装置から受信する受信部と、
前記受信部が受信した各データサイズに基づいて、前記画像信号の送信を開始するタイミングを前記制御装置に対して設定する設定部と、
をさらに有すること
を特徴とする請求項４乃至６のいずれか１項に記載の書込装置。
【請求項８】
記録紙に埋め込まれた電子タグに情報を書込み、前記記録紙に画像を形成するよう制御する制御プログラムであって、
前記電子タグに電波を利用して情報を書込むよう制御するステップと、
画像を形成する画像形成装置の構成に基づくタイミングで前記画像形成装置に画像信号を送信するステップと、
をコンピュータに実行させるための制御プログラム。
【発明の詳細な説明】
【技術分野】
【０００１】
本発明は、画像形成システム、書込装置及び制御プログラムに関する。
【背景技術】
【０００２】
従来、ＲＦＩＤ（Radio  Frequency  IDentification）などの電子タグが埋め込まれた記録紙に対し、電子タグへの書込みと記録紙への画像形成の生産性を向上させるために、プリンタなどの画像形成装置が電子タグに情報を書込む機能を備え、用紙への印刷と電子タグへの書込みとを一括して行うことが知られている。
【０００３】
例えば、特許文献１には、通信手段を装置本体から着脱可能に構成し、通信手段が取り付けられていないときは、一般ＯＡプリンタとして用いることができ、通信手段を装置本体に取り付けて、所定のプログラムをインストールすれば、ＲＦＩＤ専用のプリンタにすることができる画像形成装置が開示されている。
【発明の概要】
【発明が解決しようとする課題】
【０００４】
しかしながら、特許文献１は、プリンタの制御部がパーソナル通信手段の制御やＩＣタグへの書き込み情報の制御を行わねばならないため、予めプリンタの制御部が通信手段と通信可能に作成されていなければならない。即ち、書込装置の汎用性向上と、電子タグへの書込み及び記録紙への画像形成の生産性向上とを両立させることが困難であるという問題があった。
【０００５】
本発明は、上記に鑑みてなされたものであって、記録紙に埋め込まれた電子タグに情報を書込む書込装置の汎用性向上と、電子タグへの書込み及び記録紙への画像形成の生産性向上とを両立させることを可能にする画像形成システム、書込装置及び制御プログラムを提供することを目的とする。
【課題を解決するための手段】
【０００６】
上述した課題を解決し、目的を達成するために、本発明は、画像信号を受信すると記録紙に画像を形成する画像形成装置と、記録紙に埋め込まれた電子タグに情報を書き込み、当該記録紙を画像形成装置へ搬送する書込装置と、書込装置に対して書込みを行わせる信号を送信し、かつ画像形成装置の構成に基づくタイミングで画像形成装置に画像信号を送信する制御装置と、を有することを特徴とする。
【発明の効果】
【０００７】
本発明によれば、記録紙に埋め込まれた電子タグに情報を書込む書込装置の汎用性向上と、電子タグへの書込み及び記録紙への画像形成の生産性向上とを両立させることを可能にすることができるという効果を奏する。
【図面の簡単な説明】
【０００８】
【図１】図１は、実施の形態にかかる画像形成システムの構成を示す構成図である。
【図２】図２は、画像形成システムが有する機能の概要を示す機能ブロック図である。
【図３】図３は、画像形成システムの動作の流れを示すシーケンス図である。
【図４】図４は、電子タグへのデータ書込み開始から書込完了通知の発行までの最適な時間α（ｓｅｃ）を示す図である。
【図５】図５は、電子タグへのデータ書込みに不具合が生じた場合の画像形成システムの動作を示すフローチャートである。
【図６】図６は、ＰＣアプリケーションから書込装置へ送信される書込要求コマンドと付加データの構成例を示す図である。
【発明を実施するための形態】
【０００９】
以下に添付図面を参照して、画像形成システムの実施の形態を詳細に説明する。図１は、実施の形態にかかる画像形成システム１の構成を示す構成図である。図１に示すように、画像形成システム１は、画像形成装置１０、制御装置２０、書込装置３０を有する。画像形成装置１０と制御装置２０とは、通信ケーブル４０を介して情報を送受するように接続されている。また、制御装置２０と書込装置３０とは、通信ケーブル５０を介して情報を送受するように接続されている。
【００１０】
画像形成装置１０は、例えばインクジェットプリンタなどであり、記録紙挿入部（図示せず）にある記録紙をピックアップし、記録紙に画像を形成する。ここで、画像形成装置１０は一般的なＯＡプリンタであっても良い。制御装置２０は、例えばＰＣ（Personal  Computer）などである。通信ケーブル４０及び通信ケーブル５０は、例えばＵＳＢ（Universal  Serial  Bus）ケーブル又はネットワークケーブルなどである。画像形成装置１０が一般的なＯＡプリンタであった場合、通信ケーブル４０は、ＯＡプリンタと合わせて販売されるケーブルの場合もある。また、通信ケーブル４０及び５０は本実施例では通信ケーブルを用いて説明しているが、無線で接続されていても構わない。また、ネットワークを介して制御装置と接続されていても構わない。
【００１１】
書込装置３０は、画像形成装置１０の記録紙挿入部まで記録紙を搬送する機能と、電子タグに情報を書込む機能とを有する。この書込装置３０は、画像形成装置１０の記録紙挿入部の上流、例えば記録紙をスタックするスタック部に図示しない方法で取付可能である。ここで、電子タグとは、例えば、ＩＣチップとアンテナにより構成されるＲＦＩＤなどであり、記録紙に埋め込まれたものであって、識別情報その他の情報を記録し、電波を利用することによりこれらの情報の読取り及び書込みができるものとする。
【００１２】
図２は、画像形成システム１が有する機能の概要を示す機能ブロック図である。図２に示すように、書込装置３０は、給紙搬送手段３１、搬送センサ３３、紙有無センサ３４、リーダライタ（書込部）３５及び制御部３６を有する。
【００１３】
給紙搬送手段３１は、例えば給紙搬送モータや給紙クラッチなどで構成される。給紙クラッチは、書込装置３０において記録紙を搬送するローラなどに駆動力を伝達するために用いられる。給紙搬送モータは、給紙クラッチなどを駆動し記録紙を搬送する。搬送センサ３３は、記録紙が予め定められた位置まで搬送されたことを検出する。紙有無センサ３４は、書込装置３０における記録紙の有無を検出する。
【００１４】
リーダライタ３５は、記録紙に埋め込まれた電子タグ６０に対し、電波を用いて情報の読取り及び書込みを行う。制御部３６は、ＣＰＵ３６０、ＲＯＭ３６２、ＲＡＭ３６４及びＩＦ回路３６６を有し、書込装置３０を構成する各部を制御する。ＣＰＵ３６０は、書込装置３０を構成する各部を制御するにあたり、後述する判定及び設定を行う判定部及び設定部としての機能を有する。ＩＦ回路３６６は、図１に記載した通信ケーブル５０を介して情報を送受信する例えばＵＳＢＩＦ回路又はネットワークＩＦ回路であり、送信部及び受信部としての機能を有する。
【００１５】
制御装置２０は、例えばプログラムで構成されたソフトウェアからなるＰＣアプリケーション２２、及びプリンタドライバ２４を含み、画像形成装置１０及び書込装置３０を制御する。画像形成装置１０及び書込装置３０がプリンタドライバ２４を必要とする場合には、ＰＣアプリケーション２２の動作によりプリンタドライバ２４が動作し、制御装置２０は画像形成装置１０及び書込装置３０に指示信号を送信する。
【００１６】
次に、画像形成システム１の動作の概要について説明する。画像形成システム１は、電子タグ６０を埋め込まれた記録紙が給紙搬送手段３１によって搬送され、予め定められた位置まで記録紙が搬送されたことを搬送センサ３３が検出すると、電子タグ６０へのアクセスを行う。
【００１７】
制御部３６は、電子タグ６０に対して情報を書込む間に、予め設定されたタイミングで制御装置２０に対して書込完了通知を書込み完了前に発行する。書込完了通知を受取った制御装置２０は、ＰＣアプリケーション２２を動作させ、プリンタドライバを介して印字データ（画像信号）を画像形成装置１０へ送信する。制御部３６は、電子タグ６０に対する情報の書込み完了後、給紙搬送手段３１によって記録紙を画像形成装置１０の記録紙挿入部へ搬送する。画像形成装置１０は、印字データを全て受信した後に、記録紙挿入部にある記録紙をピックアップし、印字処理（画像形成）を行う。
【００１８】
次に、画像形成システム１の動作タイミングについて詳述する。図３は、画像形成システム１の動作の流れを示すシーケンス図である。まず、制御装置２０は電子タグ６０に対する情報の書込要求を制御部３６に対して送信する（Ｓ１０）。制御部３６は、電子タグ６０に対する情報の書込み要求を制御装置２０から受けると、電子タグ６０に書込む情報（データ）の転送指示を制御装置２０に対して発行する（Ｓ１２）。同時に、制御部３６は、給紙搬送手段３１に対して給紙動作を開始させ、記録紙をリーダライタ３５の位置まで搬送させる（Ｓ１４）。なお、制御装置２０は、制御部３６からのデータ転送指示（Ｓ１２）を受けることに代えて、制御部３６に対してデータ転送を行うことの通知（データ転送通知：Ｓ１６）を行ってもよい。
【００１９】
制御装置２０は、制御部３６からのデータ転送指示に応じて、電子タグ６０に対するデータ転送を開始する（Ｓ１８）。制御部３６は、制御装置２０から転送されるデータを受信する。制御部３６は、書込みデータを受信している間に、リーダライタ３５による情報の読込要求を繰返し発行させ、リーダライタ３５と電子タグ６０との通信が確立した場合（読出し信号受信時）に、記録紙がリーダライタ３５の位置まで搬送されたことを検知する（Ｓ２０）。
【００２０】
制御部３６は、電子タグ６０に対する書込みデータの受信を完了すると、制御装置２０から受信した電子タグ６０に対する書込みデータをリーダライタ３５に対して転送開始する（Ｓ２４）。リーダライタ３５は、制御部３６が転送する書込みデータの受信を開始し、データ書込みを行う。
【００２１】
制御部３６は、リーダライタ３５が電子タグ６０へデータを書込んでいる間に、書き込みデータの転送開始からＡ時間が経過したタイミングで印字用のデータ転送指示（書込完了通知）を制御装置２０に対して発行する（Ｓ２６）。制御部３６が印字用のデータ転送指示を発行するタイミングは、リーダライタ３５が電子タグ６０へのデータ書込みを完了する前である。制御装置２０は、印字用のデータ転送指示（書込完了通知）を受信すると、画像形成装置１０に対して印字データの転送を開始する（Ｓ２８）。Ａ時間は、ハードウェアのスイッチ又はソフトウェアで画像形成システム１の動作前に、例えば選択可能に設定されるものとする。
【００２２】
つまり、リーダライタ３５が電子タグ６０にデータを書込む処理と、制御装置２０が印字データを転送する処理とが並行して処理される（並行処理）。なお、図３では、制御部３６においてＡ時間が設定され、制御部３６がＡ時間の経過後にデータ転送指示を制御装置２０へ発行する場合を例示しているが、これに限定されない。例えば、制御装置２０は、Ａ時間を設定し、制御部３６から印字用のデータ転送指示を受信することなく、Ａ時間の経過後に画像形成装置１０へ印字データを転送するように構成されてもよい。つまり、制御装置２０は、例えばデータ転送通知を出力することによって書込装置３０による電子タグ６０への書込みを制御し、書込装置３０が電子タグ６０にデータを書込み終える前に、画像形成装置１０への印字データ（画像信号）の送信を開始するよう制御する制御プログラムを含んでいてもよい。また、この制御プログラムは、制御装置２０によって実行されることに限定されない。また、ここでＡ時間は書き込みデータの転送開始からの時間としているが、書き込みデータ受信からの時間としても良い。
【００２３】
制御部３６は、印字データの転送、及び画像形成装置１０における印字データの受信及び展開などが完了するまでに、リーダライタ３５による電子タグ６０へのデータの書込みを完了させる。そして、制御部３６は、リーダライタ３５から電子タグ６０に対するデータ書込みの完了を示す信号を受信（Ｓ３０）すると、給紙搬送手段３１に対して記録紙を搬送させる指示を送信する（Ｓ３２）。
【００２４】
給紙搬送手段３１は、制御部３６からの指示に応じて記録紙を画像形成装置１０の記録紙挿入部まで搬送する。ここで、給紙搬送手段３１は、制御装置２０が印字データを送信している間に、予め定められたタイミングで記録紙を画像形成装置１０の記録紙挿入部へ搬送開始する。給紙搬送手段３１が記録紙の搬送を開始するタイミングは、変更可能にされている。また、給紙搬送手段３１は、図示しないトルクリミッタを備えた駆動機構によって記録紙を画像形成装置１０の記録紙挿入部まで搬送し、トルクリミッタによって記録紙を記録紙挿入部に停止させてもよい。
【００２５】
その後、画像形成装置１０は、印字データの受信及び展開が完了すると、印字処理を開始する（Ｓ３４）。印字処理を行う際には、既に記録紙挿入部まで記録紙が搬送されているため、記録紙ぎれエラーは表示されない。また、画像形成システム１は、記録紙が複数枚ある場合には、１頁目の印字中に２頁目の記録紙の電子タグ６０への書込み動作を行う。
【００２６】
図３において、ここまでは画像形成装置１０の手差し給紙部に記録紙の有無を検知するセンサがない例について説明した。これに対し、画像形成装置１０は、手差し給紙部に記録紙の有無を検知するセンサが設けられ、そのセンサによって記録紙の印刷準備が完了したことを認識するように構成されてもよい。
【００２７】
例えば、画像形成装置１０の手差し給紙部にセンサが設けられている場合、制御部３６は、Ｓ２４の処理で開始した書込みデータ転送中に、Ｓ２６に示した処理（データ転送指示の発行）を行わない。また、制御装置２０も、リーダライタ３５がデータ書込みを完了する前には、画像形成装置１０に対する印字データ転送（Ｓ２８）を行わない。
【００２８】
画像形成装置の手差し給紙部にセンサが設けられている場合、制御部３６は、リーダライタ３５から電子タグ６０に対するデータ書込みの完了を示す信号を受信（Ｓ３０）すると、給紙搬送手段３１に対して記録紙を搬送させる指示を送信する（Ｓ３２）。
【００２９】
給紙搬送手段３１は、記録紙を画像形成装置１０の手差し給紙部（記録紙挿入部）まで搬送し終えると、搬送完了通知を制御部３６に対して送信する（Ｓ３３）。
【００３０】
制御部３６は、給紙搬送手段３１から搬送完了通知を受信すると、印字用のデータ転送指示（書込完了通知及び搬送完了通知）を制御装置２０に対して発行する（Ｓ３５）。
【００３１】
制御装置２０は、印字用のデータ転送指示を受信すると、画像形成装置１０に対しプリンタドライバ２４を介して印字データの転送を開始する（Ｓ３７）。なお、制御装置２０は、制御部３６からのデータ転送指示を受信しなくても、予め定められたタイミングで時間計測を開始し、所定時間が経過した後に、印字データの転送を開始するように構成されてもよい。
【００３２】
画像形成装置１０は、印字データの受信及び展開が完了すると、印字処理を開始する（Ｓ３９）。
【００３３】
このように、画像形成装置の手差し給紙部（記録紙挿入部）に記録紙の有無を検出するセンサが設けられていない場合には、書込装置３０は、リーダライタ３５が電子タグ６０へデータを書込んでいる間に、書き込みデータの転送開始からＡ時間が経過したタイミングで印字用のデータ転送指示（書込完了通知）を制御装置２０に対して発行する（Ｓ２６）。一方、画像形成装置の手差し給紙部にセンサが設けられている場合には、制御部３６は、給紙搬送手段３１から搬送完了通知を受信すると、印字用のデータ転送指示を制御装置２０に対して発行する（Ｓ３５）。
【００３４】
つまり、画像形成装置の手差し給紙部にセンサが設けられている場合、書込装置３０は、Ｓ２６の処理を行うことに替えて、Ｓ３３の処理後にＳ３５の処理を行う。そして、制御装置２０は、Ｓ２８の処理を行うことに替えて、手差し給紙部まで記録紙が搬送された後に、画像形成装置１０に対して印字データの転送を開始する（Ｓ３７）。
【００３５】
従って、手差し給紙部に記録紙が搬送されていないとして、画像形成装置１０が制御部２０に対してエラー通知をすることはない。なお、制御装置２０は、画像形成装置１０の手差し給紙部にセンサが有るか否かを、ユーザーからの設定入力、又は画像形成装置１０の型番などに基づいて判断する。
【００３６】
次に、印字用のデータ転送指示（書込完了通知）の発行タイミングを予め決定する方法について説明する。図４は、電子タグ６０へのデータ書込み開始から書込完了通知の発行までの最適な時間Ａ（ｓｅｃ）を示す図である。図４は便宜的に各処理を連続して記載しているが、図４の各処理は間には若干の制御部３６の処理時間があり、実際は図３のようなシーケンスになっている。また、最適な時間（完了通知時間）Ａは、下式１によって予め算出される。ここでは簡素化して記載しているが、実際には制御部３６の処理時間も考慮して設定されている。
【００３７】
【数１】
2014078212.tif 000003
【００３８】
ここで、電子タグ６０への書込データの容量をＢ１（ｂｙｔｅ）とする。Ｂ１は予め分かっているか、又は最大値として設定されるものとする。また、電子タグ６０へのデータ書込速度は、Ｓ１（ｂｙｔｅ／ｓｅｃ）とする。電子タグ６０へのデータ書込み位置から記録紙挿入部までの距離は、Ｘ（ｍｍ）とする。制御部３６による記録紙線速は、Ｙ（ｍｍ／ｓｅｃ）とする。印字データの容量は、Ｂ２（ｂｙｔｅ）とする。印字データの容量も予め分かっているか、又は最大値として設定されるものとする。印字データのデータ転送速度は、Ｓ２（ｂｙｔｅ／ｓｅｃ）とする。印字データのデータ展開速度は、Ｓ３（ｂｙｔｅ／ｓｅｃ）とする。また、画像形成装置１０が記録紙供給を開始から、画像形成装置１０側で記録紙ぎれエラーが通知されるまでの時間をＴ（ｓｅｃ）とする。
【００３９】
図４に示した例においては、記録紙に印字を開始するまでの印字データ転送時間にＴ（ｓｅｃ）の余裕がある。そこで、時間Ｔをデータ転送の再試行マージンとしてもよいし、最適な時間αを短くするように変更されてもよい。
【００４０】
次に、電子タグ６０へのデータ書込みに不具合が生じた場合の画像形成システム１の動作について説明する。図５は、電子タグ６０へのデータ書込みに不具合が生じた場合の画像形成システム１の動作を示すフローチャートである。図５に示すように、ステップ１００（Ｓ１００）において、リーダライタ３５は、電子タグ６０に所定のデータを書込む。
【００４１】
ステップ１０２（Ｓ１０２）において、リーダライタ３５は、電子タグ６０からＳ１００の処理で書込んだデータを読み出す。
【００４２】
ステップ１０４（Ｓ１０４）において、ＣＰＵ３６０は、電子タグ６０に対する書込みデータと読出しデータとを比較する（ベリファイ・チェック）。
【００４３】
ステップ１０６（Ｓ１０６）において、ＣＰＵ３６０は、Ｓ１０４の処理におけるデータが相違しているか否かを判定する。ＣＰＵ３６０は、データの相違がない場合（Ｓ１０６：Ｙｅｓ）にはＳ１１４の処理に進み、データの相違がある場合（Ｓ１０６：Ｎｏ）にはＳ１０８の処理に進む。つまり、ＣＰＵ３６０は、リーダライタ３５が電子タグ６０にデータを正しく書込めたか否かを判定する判定部としての機能を有する。
【００４４】
ステップ１０８（Ｓ１０８）において、ＣＰＵ３６０は、データの相違（エラー）回数をカウントアップする。
【００４５】
ステップ１１０（Ｓ１１０）において、ＣＰＵ３６０は、エラー回数が所定回数（例えば連続３回）以上であるか否かを判定する。ＣＰＵ３６０は、エラー回数が所定回数以上である場合（Ｓ１１０：Ｙｅｓ）にはＳ１１２の処理に進み、エラー回数が所定回数未満である場合（Ｓ１１０：Ｎｏ）にはＳ１００の処理に進む。
【００４６】
ステップ１１２（Ｓ１１２）において、ＣＰＵ３６０は、例えば制御装置２０へエラーコマンドを送信することにより、ＰＣアプリケーション２２によって制御装置２０の表示装置に電子タグ６０の異常を示すエラー表示をさせる。ここで、ＣＰＵ３６０は、給紙搬送モータ３２及び給紙クラッチ３１による記録紙の搬送を停止させ、記録紙が画像形成装置１０へ搬送されないようにする。
【００４７】
ステップ１１４（Ｓ１１４）において、書込装置３０は、給紙搬送モータ３２及び給紙クラッチ３１によって記録紙を画像形成装置１０の記録紙挿入部まで搬送する（再フィード）。
【００４８】
つまり、書込装置３０は、データの書込みのエラー回数が所定回数以上となった場合、書込みエラーが生じたことをエラー表示によってユーザーに促し、書込みエラーが生じた記録紙に画像が形成されることを防止することができる。
【００４９】
＜変形例＞
上記の実施の形態では、Ａ時間の経過後に印字用のデータ転送指示（書込完了通知）を発行する例について説明した。本変形例はこれに対し、制御装置２０から書込装置３０へ転送されるデータ量に応じて、書込装置３０が完了通知時間Ａを変更する場合について説明する。図６は、制御装置２０から書込装置３０へ送信される書込要求コマンドと付加データの構成例を示す図である。図６に示すように、制御装置２０が書込装置３０へ送信する書込要求コマンドにデータ量を示す情報（例えばタグデータ量、印字データ量、オプション）が含まれている場合、制御部３６は、データ量に応じて完了通知時間Ａを変更することが可能となる。
【００５０】
例えば、制御部３６は、図６に示した書込要求コマンドと付加データを制御装置２０から受信すると、上式１を用いて完了通知時間αを算出し、設定する。なお、図６において、タグデータ量は電子タグ６０への書込データの容量（サイズ）Ｂ１を示し、印字データ量は印字データの容量（サイズ）Ｂ２を示し、オプションはそれぞれのデータのデータ量単位を設定する。つまり、ＣＰＵ３６０は、印字データ（画像信号）の送信を開始するタイミングを制御装置２０に対して設定する設定部としての機能を有する。なお、完了通知時間Ａの算出は制御部３６で行わず、制御装置２０上で行っても良い。その場合、図６に示した書込要求コマンドと付加データに基づいて、制御装置２０上で印字データ転送開始までの時間を算出しても良い。また、Ａ時間は書込みデータ転送完了からの時間として算出されても良い。
【００５１】
このように、本実施形態によれば、リーダライタ３５が電子タグ６０に情報を書込み終えた後に制御装置２０からの信号に基づいて電子タグ６０が含まれる記録紙への画像形成を行うことができるので、電子タグ６０への書込み及び記録紙への画像形成の生産性を向上させることができる。また、書込装置３０は、画像形成装置１０に対してコネクタなどで直接接続される必要がない。従って、本実施形態によれば、記録紙に埋め込まれた電子タグ６０に情報を書込む書込装置３０の汎用性向上と、電子タグ６０への書込み及び記録紙への画像形成の生産性向上とを両立させることができる。さらに、本実施形態によれば、リーダライタ３５が電子タグ６０に情報を書込み終える前に、印字データ（画像信号）の送信を開始させるので、電子タグ６０への書込み及び記録紙への画像形成の生産性をより向上させることができる。
【００５２】
本実施形態の例えば制御装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されてコンピュータ・プログラム・プロダクトとして提供される。
【００５３】
また、本実施形態の例えば制御装置２０で実行される制御プログラムを、インターネット等のネットワークに接続されたコンピュータ上に格納し、ネットワーク経由でダウンロードさせることにより提供するように構成してもよい。また、本実施形態の例えば制御装置２０で実行される制御プログラムをインターネット等のネットワーク経由で提供または配布するように構成してもよいし、ＲＯＭ等に予め組み込んで提供するように構成してもよい。
【符号の説明】
【００５４】
１  画像形成システム
１０  画像形成装置
２０  制御装置
２２  ＰＣアプリケーション
３０  書込装置
３１  給紙搬送手段
３３  搬送センサ
３４  紙有無センサ
３５  リーダライタ
３６  制御部
４０、５０  通信ケーブル
６０  電子タグ
３６０  ＣＰＵ
３６２  ＲＯＭ
３６４  ＲＡＭ
３６６  ＩＦ回路
【先行技術文献】
【特許文献】
【００５５】
【特許文献１】特開２００７−０７６０６７号公報
【図１】
2014078212.tif 000004
【図２】
2014078212.tif 000005
【図３】
2014078212.tif 000006
【図４】
2014078212.tif 000007
【図５】
2014078212.tif 000008
【図６】
2014078212.tif 000009